(57)【特許請求の範囲】
【請求項１】
透明な水溶性樹脂で形成された多面体形状の粒状ビーズであって、前記粒状ビーズは、菱形三十面体形状の同一大きさで組み合わされていることを特徴とする溶着性ビーズ玩具。
【請求項２】
前記粒状ビーズの粒径を３ｍｍ乃至６ｍｍとしたことを特徴とする請求項１に記載した溶着性ビーズ玩具。
【請求項３】
複数個の前記粒状ビーズが組み合わされてセットとされていることを特徴とする請求項１又は請求項２に記載した溶着性ビーズ玩具。
【請求項４】
前記粒状ビーズは有色透明とされ、各色が各々複数個の粒状ビーズの組み合わせとされた色の異なるセットとされていることを特徴とする請求項３に記載した溶着性ビーズ玩具。
【請求項５】
セットとされる前記複数個の粒状ビーズは、全て同一形状同一大きさとされていることを特徴とする請求項３又は請求項４に記載した溶着性ビーズ玩具。
【発明の詳細な説明】
【技術分野】
【０００１】
本発明は、ビーズと呼ばれる小粒体を相互に溶着させて遊ぶことのできる溶着性ビーズによる玩具に関するものである。
【背景技術】
【０００２】
今日、ビーズ玩具と呼ばれ、樹脂製の小球体又は筒状体などのビーズを相互に溶着させ、種々の装飾体等を作成する遊びを行う玩具がある。
【０００３】
このビーズ玩具は、種々の色彩の粒状ビーズ又は短筒状ビーズにより比較的単純な絵を描くようにビーズを相互に接触させて並べ、加熱することにより隣接したビーズを相互に溶着させて色の異なるビーズにより絵柄模様を有する平板状の樹脂板とし、又は、ビーズを並べる形状により模様を有する装飾体を作成することのできるビーズ玩具が提案されている（例えば特許文献１）。
【０００４】
また、本件出願人は、加熱溶着でなく、水溶性樹脂により成形したビーズを相互に接触させて並べ、水分を与えてビーズの表面を溶融させた後、乾燥させることにより各ビーズを相互に溶着させて絵模様を有する平板状のシートや装飾体などの作品を容易に作成することのできるビーズ玩具セットやビーズ装飾品作成用の治具を提案している（例えば特許文献２及び特許文献３）。
【先行技術文献】
【特許文献】
【０００５】
【特許文献１】特開２０１１−１３９８２０号公報
【特許文献２】実用新案登録第３１３１２９２号公報
【特許文献３】特開２００９−１２５２３２号公報
【発明の概要】
【発明が解決しようとする課題】
【０００６】
前述のビーズ玩具は、種々の色のビーズが提供され、色彩に富んだ絵模様を有する装飾品を作成することができる。
【０００７】
しかし、色の異なる球形や短円筒形のビーズのみによるビーズ玩具では、多くの装飾品を作成する場合、多数のビーズを用いて絵柄の変化を工夫しなければ模様や形状が以前の作品と近似して変化に乏しくなり、装飾体が模様や形状のみによる嗜好となって面白味に欠ける場合があり、長く遊んでいると飽きることがあった。
【０００８】
本発明は、このような欠点を排除し、長期間、飽きることなく楽しく遊ぶことのできる新たなビーズによるビーズ玩具を提供することを目的とする。
【課題を解決するための手段】
【０００９】
本発明は、粒状のビーズであって、透明な水溶性樹脂で形成された多面体形状のビーズとし、このビーズの形状を菱形三十面体とする溶着性ビーズ玩具である。
【００１１】
また、このビーズは、その粒径を３ｍｍ乃至６ｍｍとするものである。
【００１２】
そして、このビーズの複数個をセットとする溶着性ビーズ玩具とするものであり、各ビーズを有色透明とし、各色が各々複数個のビーズを組み合わせた色の異なるビーズのセットとした溶着性ビーズ玩具とするものである。
【００１３】
そして、この溶着性ビーズ玩具は、同一形状にして同一大きさのビーズを組み合わせてセットとするものである。
【発明の効果】
【００１４】
本発明に係るビーズは、透明な樹脂で形成された多面体形状を有するため、平面による表面反射や屈折光による輝きを有し、美麗な輝きを発するビーズであって、組み立てた装飾体に照射する光の角度によって多くの変化を与え、飽きることのないビーズ遊びを行わせることができる。
【００１５】
更に、菱形三十面体とすることにより、微小平面でビーズが相互に強く溶着し、美麗な輝きを発揮すると共に組み立てた装飾品で長期間楽しみながら遊ぶことができる。
【００１６】
そして、粒径を３ｍｍ乃至６ｍｍとすれは、従来の球形ビーズと組み合わせて使用するように遊ぶことが容易に可能となる。
【００１８】
また、有色透明な粒状ビーズとすることにより、色彩の異なる輝きを発する装飾体を組んで遊ぶことができる。
【００１９】
更に、同一形状にして同一大きさのビーズの組み合わせとすることにより、一定の間隔ですべてのビーズにおいて相互に隣接したビーズの相互の接触を容易に行うことができ、種々の装飾体等を容易に作成することができる。
【図面の簡単な説明】
【００２０】
【図１】本発明に係る溶着性ビーズ玩具におけるビーズの外観の一例を示す図。
【図２】本発明に係る溶着性ビーズ玩具におけるビーズの一例の断面図。
【図３】本発明に係る溶着性ビーズ玩具におけるビーズの使用法の一例を示す図。
【図４】本発明に係る溶着性ビーズ玩具におけるビーズを並べた状態の一例を示す図。
【発明を実施するための形態】
【００２１】
本発明に係る溶着性ビーズ玩具は、図１に示すように、菱形三十面体の多面体形状とするものであり、有色透明な水溶性樹脂で形成されるビーズ10を複数個組み合わせるものである。
【００２２】
そして、この溶着性ビーズ玩具のビーズ10は、菱形三十面体の粒径を５ｍｍとし、ポリビニルアルコールを配合した水溶性樹脂を用い、着色剤により有色とした透明な合成樹脂を用いて形成するものである。
【００２３】
この菱形三十面体は、同一大きさの菱形を３０個合わせた形状であって、図２に示すように、全ての角が鈍角として突出すると共に全ての辺も突出する凸多面体である。
【００２４】
そして、このビーズ10は水溶性樹脂により成形されているため、このビーズ10を相互に接触した状態に配列し、水などの液体を塗布し、又は水などの液体中に浸漬することにより表面を湿潤状態として溶解させ、その後水分を蒸発させて乾燥させると隣接したビーズ10相互を溶着させることができる。
【００２５】
また、このビーズ10は、多面体形状とされているため、ビーズ10相互の接触部が面と面であれば相互に溶融接着する面積が広くなり、ビーズ10相互が強力に接着され、ビーズ10により組み立てた装飾体が壊れることが少なくなる。
【００２６】
そして、多面体の角が他のビーズ10に接触する場合、角の部分は水などの液体がビーズ10に浸み込み易く、ビーズ樹脂の溶解軟化が短時間で進行し、ビーズ10相互の接触圧により角の変形が大きく生じ、ビーズ10相互を強く溶着させることができる。
【００２７】
さらに、このビーズ10を着色剤により着色するに際し、透明感と色彩とを調和させる色として、緑、青、赤、黄、紫、等の色を呈する有色透明とする。なお、無色透明のビーズ10とすることもある。
【００２８】
そして、この溶着性ビーズ玩具のビーズ10により装飾体を作成する簡単な方法を以下に述べる。
【００２９】
この溶着性ビーズ玩具のビーズ10を用いて装飾体30を作成する場合、図３に示すように、皿形状のベーストレイ21と、このベーストレイ21の内側に固定可能なシートであって色彩を異ならせたビーズ状の点描写による絵柄が描かれたイラストシート23と、ベーストレイ21の内側に固定可能とされる透明な板状のビーズトレイ25を用いるものである。
【００３０】
なお、図３においては、ベーストレイ21やビーズトレイ25の大きさに対して、ビーズ10を大きく誇張して図示している。
【００３１】
そして、このビーズトレイ25の上面には、ビーズ10の粒径よりも小さい直径とされた窪みがビーズ10の粒径に略等しく且つビーズ10の粒径よりも僅かに小さな間隔で整列状態に形成されている。
【００３２】
このため、このビーズトレイ25の隣接する窪みにビーズ10を配置すると、窪みに配置されたビーズ10は、図４に示すように、相互に接触した状態で窪みの場所に安定した状態で置かれることになる。
【００３３】
従って、このベーストレイ21に所望の絵柄が描かれたイラストシート23を固定し、このイラストシート23の上にビーズトレイ25を固定しておき、イラストシート23に描かれた絵柄に合わせて所望の色にビーズ10をビーズトレイ25の窪みに載置した後、刷毛又は霧吹きにより水をビーズ10に塗布してビーズ10を湿潤状態とし、その後ビーズ10を乾燥させることによりイラストシート23に描かれた絵柄に合わせた装飾体30を作成することができる。
【００３４】
なお、図４においては、菱形三十面体の多面体とされた有色透明なビーズ10の配置を示す概略図として、ビーズ10を模式的に球形状として表示している。
【００３５】
そして、この装飾体30は、菱形三十面体の多面体とされた有色透明なビーズ10により形成されるため、照射光の角度が変わると平面反射光や屈折光の状態が変化し、装飾体30の形状や色の異なるビーズ10の配置のみの美しさだけでなく、輝きの変化を楽しむことのできる飽きの来ない装飾体30とすることができる。
【００３６】
また、ビーズ10は、菱形三十面体とされて球形状に近い形状であって、粒径を５ｍｍとして従来の球形状のビーズの直径と合わせているため、従来の球形状のビーズと組み合わせて装飾体30を作成することができる。
【００３７】
この場合は、表面光沢による従来のビーズによる配色の絵柄の一部に平面反射光や屈折光による輝きの変化を備えた装飾体30を作成することができる。
【００３８】
なお、ビーズ10の粒径は５ｍｍに限ることなく、３ｍｍ程度の粒径として細かい絵柄の装飾体30を作成することや粒径を６ｍｍとして多面体による反射屈折が明確に見えるようにすることもある。
【００３９】
更に、多面体形状も、菱形三十面体に限るものでなく、正十二面体や正二十面体のように正五角形や正三角形を組み合わせたもの、正五角形と正六角形を組み合わせた二十面体、正多面体の角を切断した十四面体や三十二面体、更には六十面体や六十二面体、正多面体の双対多面体等、球体と略同様に取り扱いが可能な凸多面体形状とすることができる。
【００４０】
尤も、十二面体よりも平面の数が少ない多面体では、球体と同様の取り扱いが困難であり、ビーズ10を並べて載置する時の平面の向きによりビーズ10相互の接触溶着が困難となる。他方、六十面体又は六十二面体よりも平面数が多くなると、粒径が３ｍｍ乃至６ｍｍ程度のビーズ10では、平面反射光や屈折光による輝きが目立たなくなり、多面体ビーズとしての面白味が少なくなって好ましくないため、十二面体乃至六十二面体程度の凸多面体とすることが好ましいものである。
【００４１】
また、このビーズ10は同一形状の多角形形状にして同一大きさの粒径とすることにより、多数のビーズ10を組み合わせるに際し、相互に隣接するビーズ10を相互に確実に接触させて並べることが容易となる。
【符号の説明】
【００４２】
１０  ビーズ
２１  ベーストレイ                    ２３  イラストシート
２５  ビーズトレイ
３０  装飾体
【図１】
0005946169.tif 000002
【図２】
0005946169.tif 000003
【図３】
0005946169.tif 000004
【図４】
0005946169.tif 000005